(57)【要約】ビデオゲームコントローラ（１２）用コントローラ保持具（１４）は、保持具上部（２０）と、保持具下部（２２）と、第１の側部（２４）と、第２の側部（２６）と、保持具後部（２８）と、保持具前部（３０）とを具える。保持具上部（２０）は、コントローラ（１２）を受けるコントローラ受け部（３４）を具える。第１の側部（２４）及び第２の側部（２６）は、保持具上部（２０）と保持具下部（２２）の間に延在する。第２の側部（２６）は、第１の側部（２４）に非平行である。側部（２４、２６）のうちの少なくとも一つは、保持具下部（２２）に対して９０度より大きい角度（４４、４８）をつけることができる。側部（２４、２６）のうちの少なくとも一つは、保持具後部（２８）に対して９０度より小さい角度（２５０、２５４）をつけることができる。保持具下部（２２）は、第１の面（３６）と、第１の面（３６）に対して９０度より大きい角度で位置している第２の面（３８）とを具えることができる。コントローラ受け部（１４）は、各々がコントローラ（１２）の少なくとも一部をほぼ取り囲む１又はそれ以上の空洞（３５８）を具えることができる。【選択図】図１【特許請求の範囲】
【請求項１】
ビデオゲームのコントローラ用のコントローラ保持具において、当該コントローラ保持具が、
前記ビデオゲームのコントローラを受けるコントローラ受け部を具える保持具上部と；
前記保持具上部の反対側の保持具下部と；
前記保持具上部と前記保持具下部の間に延在する実質的に平坦な第１の側部と；
前記第１の側部の反対側にある実質的に平坦な第２の側部であって、前記保持具上部と前記保持具下部の間に延在しており、前記第１の側部から間隔をあけて、前記第１の側部に対して非平行である第２の側部と；
を具えることを特徴とするコントロール保持具。
【請求項２】
請求項１に記載のコントローラ保持具がさらに、前記第１の側部と前記第２の側部の間に延在して前記コントローラ受け部から位置的に離れた保持具後部を具え、当該保持具後部は、前記保持具上部と前記保持具下部の間に延在し、前記第１の側部及び前記第２の側部のうちの少なくとも一つと９０度より小さい角度を形成していることを特徴とするコントロール保持具。
【請求項３】
請求項１に記載のコントローラ保持具がさらに、前記第１の側部と前記第２の側部の間に延在して前記コントローラ受け部から位置的に離れた保持具後部を具え、当該保持具後部は、前記保持具上部と前記保持具下部の間に延在し、前記第１の側部及び前記第２の側部のそれぞれと９０度より小さい角度を形成していることを特徴とするコントロール保持具。
【請求項４】
請求項１に記載のコントローラ保持具がさらに、前記第１の側部と前記第２の側部の間に延在して前記コントローラ受け部の近傍に位置する保持具前部を具え、当該保持具前部は、前記保持具上部と前記保持具下部の間に延在し、前記第１の側部及び前記第２の側部のうちの少なくとも一つと９０度より大きい角度を形成していることを特徴とするコントロール保持具。
【請求項５】
請求項１に記載のコントローラ保持具において、前記保持具下部が、第１の面と、隣接する第２の面とを具え、当該第２の面が、前記第１の面に対して９０度より大きい角度で位置していることを特徴とするコントロール保持具。
【請求項６】
請求項５に記載のコントローラ保持具において、前記第２の面が実質的に平坦であることを特徴とするコントロール保持具。
【請求項７】
請求項５に記載のコントローラ保持具がさらに、前記第１の側部と前記第２の側部の間に延在して前記コントローラ受け部の近傍に位置する保持具前部を具え、前記第２の面が、前記保持具前部に対して９０度より大きい角度で位置していることを特徴とするコントロール保持具。
【請求項８】
請求項１に記載のコントローラ保持具において、前記保持具下部が、第１の面と、隣接する第２の面とを具え、当該第２の面が、前記第１の面に対して１２０度より大きい角度で位置していることを特徴とするコントロール保持具。
【請求項９】
請求項１に記載のコントローラ保持具において、前記第１の側部及び前記第２の側部のうちの少なくとも一つが、前記保持具下部に対して９０度より大きい角度を形成していることを特徴とするコントロール保持具。
【請求項１０】
請求項１に記載のコントローラ保持具において、前記コントローラ受け部が、前記コントローラの少なくとも一部を実質的に囲む空洞を具えることを特徴とするコントロール保持具。
【請求項１１】
請求項１に記載のコントローラ保持具において、前記コントローラ受け部が、前記コントローラの少なくとも一部を実質的に囲む複数の間隔をあけた空洞を具えることを特徴とするコントロール保持具。
【請求項１２】
請求項１に記載のコントローラ保持具において、当該コントローラ保持具が、前記保持具上部と前記保持具下部の間の第１の方向で測定される保持具高さを有し、前記コントローラ受け部が、前記保持具高さのおよそ５０％より小さい前記第１の方向で測定される受け部高さを有することを特徴とするコントロール保持具。
【請求項１３】
ビデオゲームのコントローラ用のコントローラ保持具において、当該コントローラ保持具が、
前記ビデオゲームのコントローラを受けるコントローラ受け部を具える保持具上部と；
前記保持具上部の反対側の保持具下部と；
前記保持具上部と前記保持具下部の間に延在し、前記コントローラ受け部から位置的に離れた保持具後部と；
前記保持具上部と前記保持具下部の間に延在し、前記保持具後部と９０度より小さい角度を形成している実質的に平坦な第１の側部と；
前記第１の側部に間隔をあけて反対側にある実質的に平坦な第２の側部であって、前記保持具上部と前記保持具下部の間に延在しており、前記第１の側部に対して非平行である第２の側部と；
を具えることを特徴とするコントロール保持具。
【請求項１４】
請求項１３に記載のコントローラ保持具において、前記第２の側部が、前記保持具後部に対して９０度より小さい角度を形成していることを特徴とするコントロール保持具。
【請求項１５】
請求項１３に記載のコントローラ保持具がさらに、前記第１の側部と前記第２の側部の間に延在して前記コントローラ受け部の近傍に位置する保持具前部を具え、当該保持具前部は、前記保持具上部と前記保持具下部の間に延在し、前記第１の側部及び前記第２の側部のうちの少なくとも一つと９０度より大きい角度を形成していることを特徴とするコントロール保持具。
【請求項１６】
請求項１３に記載のコントローラ保持具において、前記保持具後部が実質的に平坦であることを特徴とするコントロール保持具。
【請求項１７】
請求項１３に記載のコントローラ保持具において、前記保持具下部が、第１の面と、隣接する第２の面とを具え、当該第２の面が、前記第１の面に対して９０度より大きい角度で位置していることを特徴とするコントロール保持具。
【請求項１８】
請求項１７に記載のコントローラ保持具において、前記第２の面が実質的に平坦であることを特徴とするコントロール保持具。
【請求項１９】
請求項１７に記載のコントローラ保持具がさらに、前記第１の側部と前記第２の側部の間に延在して前記コントローラ受け部の近傍に位置する保持具前部を具え、前記第２の面が、前記保持具前部に対して９０度より大きい角度で位置していることを特徴とするコントロール保持具。
【請求項２０】
請求項１３に記載のコントローラ保持具において、前記第１の側部及び前記第２の側部のうちの少なくとも一つが、前記保持具下部に対して９０度より大きい角度を形成していることを特徴とするコントロール保持具。
【請求項２１】
請求項１３に記載のコントローラ保持具において、前記コントローラ受け部が、前記コントローラの少なくとも一部を実質的に囲む空洞を具えることを特徴とするコントロール保持具。
【請求項２２】
請求項１３に記載のコントローラ保持具において、当該コントローラ保持具が、前記保持具上部と前記保持具下部の間の第１の方向で測定される保持具高さを有し、前記コントローラ受け部が、前記保持具高さのおよそ５０％より小さい前記第１の方向で測定される受け部高さを有することを特徴とするコントロール保持具。
【請求項２３】
ビデオゲームのコントローラ用のコントローラ保持具において、当該コントローラ保持具が、
前記ビデオゲームのコントローラを受けるコントローラ受け部を具える保持具上部であって、前記コントローラ受け部が、前記コントローラの少なくとも一部を実質的に囲む複数の間隔をあけた空洞を具える保持具上部と；
前記保持具上部の反対側の保持具下部であって、第１の下面と、当該第１の下面に対してある角度で位置している第２の下面とを具え、前記角度が９０度より大きい保持具下部と；
前記保持具上部と前記保持具下部の間に延在し、前記コントローラ受け部から位置的に離れた実質的に平坦な保持具後部と
前記保持具上部と前記保持具下部の間に延在し、前記保持具後部と９０度より小さい角度を形成している実質的に平坦な第１の側部と；
前記第１の側部に間隔をあけて反対側にある実質的に平坦な第２の側部であって、前記保持具上部と前記保持具下部の間に延在しており、前記保持具後部と９０度より小さい角度を形成している第２の側部と；
前記第１の側部と前記第２の側部の間に延在して前記コントローラ受け部の近傍に位置する保持具前部であって、前記保持具上部と前記保持具下部の間に延在し、前記第１の側部及び前記第２の側部のうちの少なくとも一つと９０度より大きい角度を形成している保持具前部と；
を具えることを特徴とするコントロール保持具。
【発明の詳細な説明】
【技術分野】
【０００１】
本出願は、発明者Ｍａｒｋ Ｗ． Ｓｐａｒｌｉｎｇによる、代理人整理番号３００３９．０５、「ＣＯＮＴＲＯＬＬＥＲ ＲＥＴＡＩＮＥＲ ＦＯＲ Ａ ＶＩＤＥＯ ＧＡＭＥ ＲＥＭＯＴＥ ＣＯＮＴＲＯＬＬＥＲ ＡＳＳＥＭＢＬＹ」と題された、２００６年７月３日出願の米国仮特許出願シリアルナンバー６０／８１８，２０６及び２００７年７月２日出願の米国非仮特許出願による利益を主張し、この全体の内容を参照することにより許される範囲をここに明確に組み込む。
【背景技術】
【０００２】
家庭用ビデオゲーム機器は人気が増し続けている。家庭用ビデオゲーム機器は、一般的に、テレビのモニタに接続されたゲームコンソールと、ユーザをゲームに相互作用可能にするコンソールに接続された１又はそれ以上のビデオゲームのリモートコントローラとを具える。多くのビデオゲーム機器は、配線接続を介してコンソールに接続されたビデオゲームのリモートコントローラと共に売られる。最近では、無線のビデオゲームのリモートコントローラが開発され、操作者はさらに自由に動くことができる。この無線コントローラの付属品は、従来の配線接続されているコントローラに見られる基本的な制御特性を再現するが、赤外線（ＩＲ）、高周波（ＲＦ）、又はコンソールに信号を送る他の電磁波放射線を使用する。
【０００３】
あらゆる年齢の人々が、複数の押しボタン、ジョイスティック、ホイール、ダイヤル、スイッチ、および／または他の種類の制御機構を具えるビデオゲームのリモートコントローラを操作中、座るか、立つか、横になることができる。ビデオゲームのリモートコントローラを上手く操作するためには、早く反復的な指及び手の動きが必要とされる。あいにく、ビデオゲームのリモートコントローラのやや扱いにくい構成によって、操作中又は後に、ユーザの指、手、手首、腕、および／または肩は疲れたり、痛くなったりする。さらに、ユーザの身体部に対するビデオゲームのリモートコントローラの位置が、結果としてユーザの姿勢を悪くし、背中および／または首の痛み、同様の他の種類の痛みや不快をもたらす。
【発明の概要】
【課題を解決するための手段】
【０００４】
本発明は、ビデオゲームのコントローラ用のコントローラ保持具を対象としている。一実施例において、コントローラ保持具は、保持具上部と、保持具下部と、第１の側部と、第１の側部の反対側にある第２の側部とを具える。本実施例において、保持具上部は、ビデオゲームのコントローラを受けるコントローラ受け部を具える。保持具下部は、保持具上部の反対側にある。第１の側部は実質的に平坦にすることができ、保持具上部と保持具下部の間に延在する。第２の側部は実質的に平坦にすることができ、保持具上部と保持具下部の間に延在する。第２の側部は、第１の側部から間隔をあけている。一実施例において、第２の側部は、第１の側部に対して非平行である。いくつかの実施例において、第１の側部及び第２の側部のうちの少なくとも一つが、保持具後部に対し９０度より大きい角度を形成する。
【０００５】
コントローラ保持具はさらに、第１の側部と第２の側部の間に延在する保持具後部を具える。本実施例において、保持具後部は、コントローラ受け部から位置的に離れて、保持具上部と保持具下部の間に延在する。保持具後部は、第１の側部及び第２の側部のうちの少なくとも一つと９０度より小さい角度を形成することができる。コントローラ保持具はさらに、第１の側部と第２の側部の間に延在してコントローラ受け部の近傍に位置する保持具前部を具える。いくつかの実施例において、保持具前部は、保持具上部と保持具下部の間に延在し、第１の側部及び第２の側部のうちの少なくとも一つと９０度より大きい角度を形成している。
【０００６】
別の実施例において、保持具後部は、第１の面と、実質的に平坦の第２の面とを具える。ある実施例において、第２の面は、第１の面に対して９０度より大きい角度で位置する。
【０００７】
ある実施例において、コントローラ受け部は、それぞれがコントローラの少なくとも一部を実質的に囲む１又はそれ以上の空洞を具える。別の実施例において、コントローラ保持具は、保持具上部と保持具下部の間の第１の方向で測定される保持具高さを有する。コントローラ受け部は、保持具高さのおよそ５０％より小さい第１の方向で測定される受け部高さを有する。
【図面の簡単な説明】
【０００８】
本発明の新しい特性は、本発明自体と同様にその構造及びその動作の両方を、同様の関連特性を同様の部品として言及している以下の記述と合わせて添付した図面から最良に理解しうる。
【図１】図１は、支持面と本発明の特性を有するビデオゲームのリモートコントローラアセンブリの一実施例の斜視図であり、ビデオゲームのリモートコントローラと、コントローラ保持具とを具える。
【図２】図２は、図１に示したビデオゲームのリモートコントローラアセンブリの上面図である。
【図３Ａ】図３Ａは、明瞭にするためにビデオゲームのリモートコントローラを取り去った状態の図１に示したコントローラ保持具の上面図である。
【図３Ｂ】図３Ｂは、図３Ａのライン３Ｂ−３Ｂで得られたコントローラ保持具の断面図である。
【図３Ｃ】図３Ｃは、図３Ａのライン３Ｃ−３Ｃで得られたコントローラ保持具の断面図である。
【図４Ａ】図４Ａは、本発明の特性を有するビデオゲームのリモートコントローラアセンブリの別の実施例の上面図である。
【図４Ｂ】図４Ｂは、図４Ａに示したリモートコントローラアセンブリの側面図である。
【発明を実施するための形態】
【０００９】
図１は、支持面１１上に配置されたビデオゲームのリモートコントローラアセンブリ１０（時々、ここでは「コントローラアセンブリ」と呼ぶ）の一実施例の斜視図である。ここで使用するとき、支持面１１は、テーブル、床、ユーザのひざ、又は何らかの他の好適な面などコントローラアセンブリを支持する任意の面にすることができる。
【００１０】
コントローラアセンブリ１０の設計は変えることができる。図１に示した実施例において、コントローラアセンブリ１０は、ビデオゲームのリモートコントローラ１２（ここでは時々、「コントローラ」と呼ぶ）と、コントローラ保持具１４とを具える。図１において、コントローラ保持具１４は、コントローラ保持具１４を形成する構造をより識別しやすくするために部分的に点線で示されている。
【００１１】
コントローラ１２は、ユーザがビデオゲームを行っている際の映像の対象におけるスクリーン上の動きを遠隔操作する。コントローラ１２の形及び大きさは、コントローラアセンブリ１０の設計条件に適するように変えることができる。コントローラ１２は、電気コネクタ１６と、１又はそれ以上のスイッチ１８とを具える。コネクタ１６は、コントローラ１２をコンソール（図示せず）又はビデオ表示装置（図示せず）に電気的に接続し、コントローラ１２とコンソールおよび／またはビデオ表示装置との間の電気信号の伝送を実現する。代替的に、コントローラは、非排他的な例としてＩＲ、ＲＦ、又は他の電磁波放射線を用いて、コンソールおよび／またはビデオ表示装置に無線で信号を送ることができる。スイッチ１８には、押しボタン、ジョイスティック、ホイール、ダイヤル、および／または行われるビデオゲームの様々な態様を制御するために用いられる他の種類の制御機構など様々な種類のアクチュエータを含むことができる。
【００１２】
コントローラ保持具１４はコントローラ１２を保持する。コントローラ保持具１４の大きさ及び形は、コントローラ１２の設計条件に適するように変えることができる。図１に示した実施例において、コントローラ保持具は、保持具上部２０と、保持具下部２２（点線で図示）と、第１の側部２４と、第２の側部２６（点線で図示）と、保持具後部２８と、保持具前部３０（点線で図示）とを具える。
【００１３】
保持具上部２０は、コントローラ１２が操作中にユーザに見えるおよび／または面するようにコントローラ１２を保持して配置させる。保持具上部２０は、第１の側部２４と第２の側部２６の間、及び保持具後部２８と保持具前部３０の間に延在する。図１に示した実施例において、保持具上部２０は、ほぼ平坦な上面３２と、コントローラ受け部３４とを具える。代替的に、保持具上部２０の上面３２は、非平坦形状にできる。非排他的な代替の実施例において、例えば、上面３２は、凹状、凸状、うね状にすることができるか、上面は、２又はそれ以上のこれらの種類の形状を組み合わせることができる。さらに代替的に、上面３２はいかなる他の好適な形状にもすることができる。
【００１４】
コントローラ受け部３４は、コントローラ受け部３４がコントローラ１２を受けるように切り抜き、ギザギザ、くぼみ、又は他の形状を具えることができる。ある実施例において、コントローラ受け部３４は、使用中、コントローラ保持具１４に対するコントローラ１２の動きを全部ではなくても少なくとも部分的に抑制するように、コントローラ１２を固定的に配設する。
【００１５】
保持具下部２２は、一般的に、保持具上部２０に対しコントローラ保持具１４の反対側である。保持具下部２２は、第１の側部２４と第２の側部２６の間、及び保持具後部２８と保持具前部３０の間に延在する。図１に示した実施例において、保持具下部２２は、第１の下面３６（点線で図示）と、近傍の第２の下面３８（点線で図示）とを具える。第１の下面３６は、ユーザが座った位置又は別の好適な位置にあるときに、操作中、ユーザの上に乗せておくことができる。一の実施例において、第１の下面３６は、ほぼ平坦であり、上面３２にほぼ平行である。代替的に、第１の下面３６は、上面３２に対して非平坦および／または非平行にすることができる。
【００１６】
本実施例において、第２の下面３８は、第１の下面３６に対して角度を成している。例えば、第２の下面３８は、第１の下面に対して９０度より大きく１８０度より小さい角度４０で配置することができる。様々な非排他的な例において、第２の下面３８は、第１の下面３６に対して１８０度より小さい角度で配置できるが、少なくともおよそ１００、１２０、１３５、１５０、又は１７０度である。さらに代替的には、第２の下面３８は、第１の下面３６に対して９０度以下又は１８０度以上のある角度で配置できる。ある実施例において、第２の下面３８は、より詳細に以下に記述するようにコントローラを使用中、より快適な面をユーザの手に提供する。
【００１７】
図１に示した実施例において、第１の側部２４は、保持具上部２０と保持具下部２２の間に延在する。一実施例において、第１の側部２４はほぼ平坦にすることができる。代替的に、第１の側部２４は非平坦形状にすることができる。ある実施例において、第１の側部２４は、（ｉ）保持具上部２０の上面３２、及び（ｉｉ）保持具下部２２に対して垂直ではない。本実施例において、第１の側部２４は、上面３２に鋭角４２を形成し、保持具下部２２に鈍角４４を形成する。非排他的な代替の実施例において、第１の側部２４と上面３２の間の角度４２は、９０度より小さく、およそ３０、４５、６０、７０、又は８０度より大きい。さらに代替的には、第１の側部２４と上面３２の間の角度４２は、９０度以上又は３０度以下である。
【００１８】
非排他的な代替の実施例において、第１の側部２４と保持具下部２２の間の角度４４は、９０度より大きく、およそ１００、１１０、１２０、１３５、又は１５０度より小さい。さらに代替的に、第１の側部２４と保持具下部２２の間の角度４４は、９０度以下又は１５０度以上である。
【００１９】
図１に示した実施例において、第２の側部２６は、保持具上部２０の上面３２と保持具下部２２の間に延在する。一実施例において、第２の側部２６はほぼ平坦にすることができる。代替的に、第２の側部２６は非平坦形状にすることができる。図１に示した実施例において、第２の側部２６は、上面３２及び保持具下部２２に対して垂直ではない。本実施例において、第２の側部２６は、上面３２に鋭角４６を形成し、保持具下部２２に鈍角４８を形成する。非排他的な代替の実施例において、第２の側部２６と上面３２の間の角度４６は、９０度より小さく、およそ３０、４５、６０、７０、又は８０度より大きい。さらに代替的には、第２の側部２６と上面３２の間の角度４６は、９０度以上又は３０度以下である。
【００２０】
非排他的な代替の実施例において、第２の側部２６と保持具下部２２の間の角度４８は、９０度より大きく、およそ１００、１１０、１２０、１３５、又は１５０度より小さい。さらに代替的に、第２の側部２６と保持具下部２２の間の角度４８は、９０度以下又は１５０度以上である。
【００２１】
第１の側部２４と第２の側部２６は、互いにほぼ左右対称にすることができるが、そうすることが必要ではない。例えば、角度４２及び角度４６は、同じか、互いに異なるようにすることができる。同じように、角度４４及び角度４８は、同じか、互いに異なるようにすることができる。
【００２２】
一実施例において、保持具後部２８はほぼ平坦である。代替的に、保持具後部２８は非平坦形状にすることができる。保持具後部２８は、図１に示すように台形である。代替的に、保持具後部２８は、四角形、楕円形、円形、菱形、又はいかなる他の好適な幾何学形状などの異なる幾何学形状にもすることができる。一実施例において、保持具後部２８は、コントローラアセンブリ１０の使用中、ユーザの中央部分に置くことができる面を提供する。
【００２３】
ある実施例において、保持具前部３０は、保持具後部２８とほぼ反対側に配置された１又はそれ以上の平坦又は非平坦を具える。一実施例において、保持具前部３０は、保持具後部２８にほぼ平行である。代替的に、保持具前部３０は、保持具後部２８に非平行又は、保持具後部２８に平行であったり非平行であったりする部分を具えることができる。
【００２４】
コントローラ保持具１４を形成するために使用する材料は変えることができる。一実施例において、コントローラ保持具１４は、形状記憶発泡体又は別の独立気泡あるいは連続気泡発泡体を基材とする材料など弾性プラスチック材料で作ることができる。代替的に、コントローラ保持具１４は、非排他的な例として木材、金属、セラミック、又は他の好適な天然又は合成材料など、他の好適な材料で作ることができる。
【００２５】
図２は、コントローラアセンブリ２１０の一実施例の上面図である。本実施例において、コントローラアセンブリ２１０は、コントローラ２１２と、コントローラ保持具２１４とを具える。コントローラ２１２は、前述したコントローラ１２と実質的に同じにすることができる。図２に示した実施例において、コントローラ保持具２１４は、第１の側部２２４と、第２の側部２２６と、保持具後部２２８と、保持具前部２３０とを具える。一実施例において、第１の側部２２４は保持具後部２２８に対して９０度より小さい角度２５０を形成する。例えば、非排他的な代替の実施例において、第１の側部２２４と保持具後部２２８の間の角度２５０は、９０度より小さく、およそ３０、４５、６０、７０、又は８０度より大きい。さらに代替的には、第１の側部２２４と保持具後部２２８の間の角度２５０は、９０度以上又は３０度以下である。
【００２６】
ある実施例において、第１の側部２２４は保持具前部２３０に対して９０度より大きい角度２５２を形成する。例えば、非排他的な代替の実施例において、第１の側部２２４と保持具後部２２８の間の角度２５２は９０度より大きく、およそ１００、１１０、１２０、１３５、又は１５０度より小さい。さらに代替的に、第１の側部２２４と保持具前部２３０の間の角度２５２は、９０度以下又は１５０度以上である。
【００２７】
一実施例において、第２の側部２２６は保持具後部２２８に対して９０度より小さい角度２５４を形成する。例えば、非排他的な代替の実施例において、第２の側部２２６と保持具後部２２８の間の角度２５４は、９０度より小さく、およそ３０、４５、６０、７０、又は８０度より大きい。さらに代替的には、第２の側部２２６と保持具後部２２８の間の角度２５４は、９０度以上又は３０度以下である。
【００２８】
ある実施例において、第２の側部２２６は、保持具前部２３０に対して９０度より大きい角度２５６を形成する。例えば、非排他的な代替の実施例において、第２の側部２２６と保持具後部２２８の間の角度２５６は９０度より大きく、およそ１００、１１０、１２０、１３５、又は１５０度より小さい。さらに代替的には、第２の側部２２６と保持具前部２３０の間の角度２５６は、９０度以下又は１５０度以上である。
【００２９】
図２に示した実施例において、例えば、コントローラ保持具２１４の形状によって、ユーザは、より快適にコントローラ２１２を制御することができる。例えば、第１の側部２２４及び第２の側部２２６は、保持具後部２２８に鋭角２５０、２５４を、保持具前部２３０に鈍角２５２、２５６を形成するので、コントローラ保持具２１４は、ユーザの腕の位置をより自然にさせる。別の言い方をすると、保持具後部２２８が座ったユーザの中間部に接するとき、ユーザの前腕は、側部２２４、２２６に沿ってコントローラ２１２へ向いて快適に延在する。ユーザがより快適であることによって、緊張および／または疲労の少ないコントローラアセンブリ２１０の長時間の使用を可能にする。
【００３０】
図３Ａは、明瞭にするためにコントローラ１２（例えば、図１に示した）を取り去った状態のコントローラ保持具３１４の一実施例の上面図である。本実施例において、コントローラ保持具３１４は、上面３３２及びコントローラ受け部３３４を有する保持具上部３２０を具える。さらに、図３Ａに示した実施例において、コントローラ受け部３３４は、複数の受け空洞３５８（２つの受け空洞３５８が図３Ａに点線で示す）を具える。代替の実施例において、コントローラ受け部３３４は、２つより少ないか、多い数個の受け空洞３５８を具えることができる。
【００３１】
受け空洞３５８はそれぞれ、コントローラ１２の一部を受ける。ある実施例において、受け空洞３５８は、コントローラ１２の一部を囲むことができる。これらの実施例において、受け空洞３５８はコントローラ１２を固定的に保持し、コントローラ保持具３１４によって、ユーザは、使用中、コントローラ１２をさらに安定させることができる。ここに提供されるように、コントローラ保持具３１４の形状によって、使用中のコントローラ保持具３１４の動きは抑制される。結果としてある実施例において、同様にユーザに対するコントローラ１２の望まれない動きが全体として抑制され、使用中にユーザによる間違いをより少なくすることができる。
【００３２】
図３Ｂは、図３Ａのライン３Ｂ−３Ｂで得られたコントローラ保持具３１４の断面図である。図３Ｂは、受け空洞３５８が、コントローラ１２（例えば、図１に示した）の一部の輪郭とほぼ同じ輪郭を有することができることを示している。本実施例において、コントローラ１２は、コントローラ保持具３１４に対するコントローラ１２の動きが抑制されるようにコントローラ受け部３３４内にぴったりと一致することができる。
【００３３】
さらに、本実施例において、コントローラ保持具３１４は、保持具本体部３６０と、保持具本体部３６０を部分的又は全体的に覆う保持具カバー３６２とを具える。保持具カバー３６２は、取り去ることが可能であるか、保持具カバー３６２は、保持具本体部３６０に恒久的又は半恒久的に固定することができる。保持具カバー３６２は、非排他的な例として様々な天然又は合成繊維および／または織物を含むいかなる好適な材料でも作ることができる。
【００３４】
さらに、本実施例において、保持具下部３２２は、第１の下面３３６と、隣接する第２の下面３３８とを具える。本実施例において、第２の下面３３８は、第１の下面３３６および／または保持具前部３３０に対して鈍角を成している。この構成によって、ユーザは、コントローラ１２を「鉤つめ状」に把持する傾向を減らすか、完全に避けるようにさらにリラックスした方法でコントローラ保持具３１４を保持し、ここに記述したコントローラ保持具３１４の１又はそれ以上の構成を無くすことができる。
【００３５】
さらに、ある実施例において、コントローラ保持具３１４は、コントローラ１２を支持面１１（図１に示す）より高く上げている。例えば、コントローラ保持具３１４は、ユーザの腕および／または肩の疲労を減らすべくコントローラをユーザの膝より上の快適な高さに上げるように構成することができる。一実施例において、コントローラ受け部３３４は、コントローラ保持具３１４の高さ３７４より低い高さ３７２である。非排他的な代替の実施例において、コントローラ受け部３３４の高さ３７２は、コントローラ保持具３１４の高さ３７４よりおよそ７５％、５０％、４０％、３０％、又は２５％小さい。
【００３６】
さらに、コントローラ保持具３１４は保持具体積を有し、コントローラ１２はコントローラ体積を有する。ある実施例において、保持具体積はコントローラ体積より大きい。非排他的な代替の実施例において、保持具体積は、コントローラ体積より少なくともおよそ２５％、５０％、１００％、１５０％、２００％、３００％、又は５００％大きい。これらの実施例において、コントローラ保持具３１４はコントローラ１２より大きい体積を有しているので、コントローラ１２がコントローラ保持具３１４に固定されることによって、コントローラ保持具３１４の動きが減り、コントローラ１２の安定性は使用中に増加する。代替的な実施例において、コントローラ体積は保持具体積より大きくすることができる。
【００３７】
図３Ｃは、図３Ａのライン３Ｃ−３Ｃで得られたコントローラ保持具３１４の断面図である。本実施例において、受け空洞３５８は、ほぼ円形又は長円形にすることができる。代替の実施例において、受け空洞３５８は、特定のコントローラ１２（例えば、図１に示した）をぴったり一致させるように収容するとともに受けるいかなる好適な断面形状を有することができる。
【００３８】
図４Ａは、コントローラアセンブリ４１０の別の実施例の上面図である。本実施例において、コントローラアセンブリ４１０は、コントローラ４１２を具えるだけであり、コントローラ保持具１４（図１に示した）は無い。一実施例において、コントローラ４１２は、ここに記述されたコントローラ保持具のその形状に基本的に構成されたコントローラ本体部４６４を具える。従って、コントローラ４１２及びコントローラ保持具は本質的に、一体型ユニットとして形成される。この構成によって、コントローラ４１２は、別個のコントローラ保持具を必要とすることなく前述した１又はそれ以上の利益を提供する。
【００３９】
図４Ｂは、図４Ａに示したコントローラアセンブリ４１０の側面図である。本実施例において、コントローラ４１２は、コントローラ保持具の１又はそれ以上の実施例に対し前述したのと同じ方法で、第１の下面４６８と、第１の下面４６８に対して角度をなした第２の下面４７０とを有するコントローラ下部４６６を具える。この構成によって、ユーザは、コントローラ４１２を「鉤つめ状」に把持する傾向を減らすか、完全に避けるさらにリラックスした方法でコントローラ４１２を保持する。
【００４０】
ビデオゲームのコントローラアセンブリ及びコントローラ保持具の様々な異なる実施例がここに図示され記述されているが、どの実施例の１又はそれ以上の特性も１又はそれ以上の他の実施例の１又はそれ以上の特性と組み合わせることができ、この組合せが本発明の目的を満たすように提供されると理解される。
【００４１】
ここに図示し記述した特定のビデオゲームのコントローラアセンブリは、目的を十分に達成し、前述した利点を提供することが可能である一方で、これらは、本発明の好適な実施例の単なる例示であり、ここに図示し、記述した方法、構造、又は構成の詳細に限定する意図ではないということを理解すべきである。
【図１】
2009543215.tif 000002
【図２】
2009543215.tif 000003
【図３Ａ】
2009543215.tif 000004
【図３Ｂ】
2009543215.tif 000005
【図３Ｃ】
2009543215.tif 000006
【図４Ａ】
2009543215.tif 000007
【図４Ｂ】
2009543215.tif 000008
【国際調査報告】
2009543215.tif 000009